(57)【要約】【課題】  意外性や興味性に富み、外観形状のデザインの自由度の広い縫いぐるみ枕を提供すること。【解決手段】  動物等のキャラクタを模した縫いぐるみ部材２と枕部材３とが、縫いぐるみ部材２の背部略中央部と枕部材３の略中央部に設けられる開口部５を介して縫接されると共に、その内部にはクッション材が充填されており、前記開口部５の周縁には、ファスナー４が縫設されている。  これにより、該開口部５を境として折り返しされる一方の部材２(３)が他方の部材３(２)の内部に収納可能とされると共に、開口部５がファスナー４によって開閉自在とされている。【選択図】図１
0003110028.tif 000002
【実用新案登録請求の範囲】
【請求項１】
本考案に係る縫いぐるみ枕１は、
動物等のキャラクタを模した縫いぐるみ部材２と枕部材３とが、双方の部材に設けられる開口部５を介して一体となるように縫接されると共に、その内部にクッション材６が充填されており、該縫接部５を境として折り返しされる一方の部材２(３)が他方の部材３(２)の内部に収納可能とされていることを特徴とする縫いぐるみ枕。
【請求項２】
請求項１において、前記開口部５は、縫いぐるみ部材２の背部略中央部と枕部材３の略中央部に設けられていることを特徴する縫いぐるみ枕。
【請求項３】
請求項１又は２において、前記開口部５にはファスナー４が縫設されており、該ファスナー４によって、開口部が開閉自在とされている特徴する縫いぐるみ枕。
【考案の詳細な説明】
【技術分野】
【０００１】
本考案は、縫いぐるみとしてだけでなく、枕としても使用することができる縫いぐるみ枕の構成に関する。
【背景技術】
【０００２】
従来より、縫いぐるみとしてだけでなく、枕としても使用される縫いぐるみ枕は、子供を対象として販売されるだけでなく、販促用のプレミアムグッズとしても用いることが可能な商品として注目されており、例えば、下記特許文献等に記載されるものなどが案出されている。
これらの縫いぐるみ枕では、縫いぐるみ内部に充填される部材を改良することにより、使用時における感触の向上を図られていたり、縫いぐるみ内部に目覚まし時計などの電子機器を内蔵することで利便性の向上が図られていたりするものであった。
【０００３】
しかしながら、従来の縫いぐるみまくらは、縫いぐるみの形状のまま枕として使用されるものであったため、枕として使用する際に縫いぐるみの手足部などの突出部が安眠の妨げとならないように配慮したデザインをする必要があり、外観形状のデザインの自由度が制限されるという問題があった。
また、外観形状に変化が無いため、意外性や興味性に欠けるものでもあった。
【特許文献１】実登3059214号公報
【特許文献２】実登3081336号公報
【考案の開示】
【考案が解決しようとする課題】
【０００４】
そこで、本考案は、上記従来技術の問題点に鑑みなされたものであり、枕としての使用感に優れると共に、外観形状のデザインの自由度を広げることが可能であり、意外性や興味性にも富んだ縫いぐるみ枕を提供することを目的としている。
【課題を解決するための手段】
【０００５】
請求項１記載の考案は、
動物等のキャラクタを模した縫いぐるみ部材２と枕部材３とが、双方の部材に設けられる開口部５を介して縫接されており、その内部には、クッション材６が充填されている。
そして、開口部５を境として折り返しされる一方の部材２(３)が他方の部材３(２)の内部に収納可能とされていることを特徴とする。
【０００６】
請求項２記載の考案は、
請求項１において、前記開口部５は、縫いぐるみ部材２の背部略中央部と枕部材３の略中央部に設けられていることを特徴とする。
【０００７】
請求項３記載の考案は、
請求項１又は２において、前記開口部５にはファスナー４が縫設されており、該ファスナー４によって開口部が開閉自在とされていることを特徴とする。
【考案の効果】
【０００８】
請求項１の考案によれば、
縫いぐるみ枕１はリバーシブルとされており、開口部５を境として折り返すことにより、縫いぐるみ部材２の内部に枕部材３を収納して全体形状を縫いぐるみ形態とすることができる。
また、これとは反対に、枕部材３の内部に縫いぐるみ部材２を収納することにより、全体形状を枕形態に変形して、枕として使用することもできる。
このように、本考案に係る縫いぐるみ枕１は使用目的に合わせてその形態を変形させて使用することができるため、縫いぐるみ部材２のデザインの幅を広げることができるだけでなく、形状の変化を楽しむことのできる意外性のある商品とすることができる。
【０００９】
請求項２の考案によれば、
開口部が、縫いぐるみ部材２の背部略中央部と枕部材３の略中央部に設けられているので、縫いぐるみ枕１の全体形状を開口部を中心として見た場合、略左右対称とすることができる。
これにより、枕として使用される際に、枕部材３内部での充填部材の偏りが少なくなり、使用感を良好なものとすることができる。
【００１０】
請求項３の考案によれば、
開口部にはファスナー４が縫設されているので、該ファスナー４の開閉によって、容易に開口部５を開閉することができる。
【考案を実施するための最良の形態】
【００１１】
動物等のキャラクタを模した縫いぐるみ部材２と枕部材３とが、双方の部材に設けられる開口部５を介して縫接されると共に、その内部には、クッション材が充填されている。
前記開口部５は、縫いぐるみ部材２の背部略中央部と枕部材３の略中央部に設けられており、該開口部５の周縁にはファスナー４が縫設されている。
これにより、該開口部５を境として折り返しされる一方の部材２(３)が他方の部材３(２)の内部に収納可能とされると共に、開口部５がファスナー４によって開閉自在とされている。
【実施例】
【００１２】
以下、図面を参照して、本考案に係る実施例を詳細に説明する。
【００１３】
図１は、本実施例に係る縫いぐるみ枕の構成を示しており、本図では、縫いぐるみ部材２から枕部材３が取り出された状態を示している。
また、図２は、縫いぐるみ形態での縫いぐるみ枕を背後から見た状態を示している。
図１に示すように、猫を模して形成される縫いぐるみ部材２と矩形の枕部材３の内部にはクッション材としての綿６が充填されると共に、縫いぐるみ部材１の背中と枕部材３の略中央部に形成される略同形状の開口部５の位置を合わせて縫接することにより、縫いぐるみ枕１が構成されている。
さらに、前記縫いぐるみ枕１と枕部材２との縫接部にはファスナー４が設けられており、該ファスナーを４用いることで開口部５が開閉自在とされている。
また、前記クッション材としての綿６は、枕部材３の周辺部に少量充填されると共に、縫いぐるみ部材２の胴体部には背中中央に窪みができるように少量、頭部と足部の内部には十分に充填されている。
これにより、縫いぐるみ枕１が枕形態で使用される際には、枕部材３の中央部が硬くなりすぎず適度にふっくらとした膨らみを与えることが可能となると共に、枕部材３の周辺部にも程よい膨らみを与えることが可能となり、使用感に優れた枕を提供することができる。さらに、縫いぐるみ枕１が縫いぐるみ形態で使用される際には、前記窪みに枕部材３が収まるので、型崩れを起こすことなく縫いぐるみ形態に変形することができる。
【００１４】
以下図３乃至図８を参照して、本実施例に係る縫いぐるみ枕１を枕として使用するために、縫いぐるみ形態から枕形態へと変形する過程を説明する。
図３は、縫いぐるみ枕１の縫いぐるみ形態での使用状態を示しており、枕部材３は、縫いぐるみ部材２の内部に収納されている。
縫いぐるみ枕１を枕形態に変形するためには、図４乃至図６に示すように、縫いぐるみ部材２の背中に設けれたファスナー４を開いて、縫いぐるみ部材２の内部から枕部材３を引き出した後、図７に示すように、縫いぐるみ部材２の手部22と足部23をそろえた状態で枕部材３の内部に収納することにより、図８に示される枕形態へと変形される。
【００１５】
本考案に係る玩具は以上説明したように構成されるものであり、以下に示すように構成することも可能である。
縫いぐるみ部材２に関しては、猫の形状以外にも他の動物、アニメキャラクタ、怪獣、ロボット等の形状とすることも可能である。
また、枕部材３の形状に関しても、矩形だけでなく、球形、多角柱形等に形成することも可能である。
さらに、開口部５に設けられるファスナーとしては、ジッパーの代わりに面ファスナーを設けることも可能である。
【図面の簡単な説明】
【００１６】
【図１】本実施例に係る縫いぐるみ枕をの構成を示す図である。
【図２】縫いぐるみ形態での縫いぐるみ枕を背後から見た状態を示す図である。
【図３】実施例に係る縫いぐるみ枕が、縫いぐるみとして使用される状態を示す図である。
【図４】縫いぐるみ枕の背部に設けられたファスナーが開かれる過程を示す図である。
【図５】縫いぐるみ枕の背部から枕部材が引き出される過程を示す図である。
【図６】縫いぐるみ枕の背部から枕部材が引き出された状態を示す図である。
【図７】縫いぐるみ枕の背部から引き出された枕部材の内部に縫いぐるみ部材が収納される過程を示す図である。
【図８】実施例に係る縫いぐるみ枕が枕形態に変形された状態を示す図である。
【符号の説明】
【００１７】
１  縫いぐるみ枕
２  縫いぐるみ部材
21  頭部
22  手部
23  足部
３  枕部材
４  縫接部
【図１】
0003110028.tif 000003
【図２】
0003110028.tif 000004
【図３】
0003110028.tif 000005
【図４】
0003110028.tif 000006
【図５】
0003110028.tif 000007
【図６】
0003110028.tif 000008
【図７】
0003110028.tif 000009
【図８】
0003110028.tif 000010